(57)【要約】【課題】利便性の低下を抑制し、第三者による電気の使用を防ぐことができる電気自動車充電用延長ケーブル安全装置を提供することにある。【解決手段】一方の端部１ａが電源２ａに連結して固定され、他方の端部１ｂが電気自動車３の充電用の車両側コネクタ（図示せず）に接続可能な接続端子１ｂが設けられた電源ケーブル１と、電源ケーブル１を格納するケーブル格納機構１０とを具備し、ケーブル格納機構１０が、電源ケーブル１を巻き取って格納可能な回転体１１と、回転体１１の回転を固定するロック機構１２と、識別番号１４が入力される識別番号入力器１３と、入力された識別番号１４と予め登録されている識別番号１６とを照合する識別番号照合器１７とを有し、ロック機構１２が照合器１７にて両方の識別番号１４，１６が一致した場合に、回転体１１の固定を解除するようにした。【選択図】図１
2008251355.tif 000002
【特許請求の範囲】
【請求項１】
一方の端部が電源に連結して固定され、他方の端部が電気自動車の充電用の車両側コネクタに接続可能な接続端子が設けられた電源ケーブルと、
前記電源ケーブルを格納するケーブル格納機構とを具備し、
前記ケーブル格納機構は、前記電源ケーブルを格納可能な回転体と、
前記回転体の回転を固定する固定手段と、
識別番号が入力される識別番号入力手段と、
入力された識別番号と予め登録されている識別番号とを照合する照合手段とを有し、
前記固定手段は、前記照合手段にて両方の識別番号が一致した場合に、前記回転体の固定を解除する
ことを特徴とする電気自動車充電用延長ケーブル安全装置。
【請求項２】
請求項１に記載された電気自動車充電用延長ケーブル安全装置であって、
前記ケーブル格納機構は、前記電源ケーブルを流れる電気の電圧を検出する電圧検出手段を有し、
前記固定手段は、前記電圧検出手段にて所定の電圧を検出した場合に、前記回転体の回転を固定する
ことを特徴とする電気自動車充電用延長ケーブル安全装置。
【請求項３】
請求項１または請求項２に記載された電気自動車充電用延長ケーブル安全装置であって、
前記ケーブル格納機構は、前記電源ケーブルの接続端子の格納を検出する接続端子格納検出手段をさらに有し、
前記固定手段は、前記接続端子格納検出手段にて前記電源ケーブルの接続端子の格納を検出した場合に、前記回転体の回転を固定する
ことを特徴とする電気自動車充電用延長ケーブル安全装置。
【請求項４】
請求項１乃至請求項３の何れか一項に記載された電気自動車充電用延長ケーブル安全装置であって、
前記識別番号入力手段は、電気自動車の鍵に内蔵された送信器から送信される信号により識別番号が入力される
ことを特徴とする電気自動車充電用延長ケーブル安全装置。
【発明の詳細な説明】
【技術分野】
【０００１】
本発明は、電気自動車充電用延長ケーブル安全装置に関する。
【背景技術】
【０００２】
近年、環境やエネルギーなどの観点から、ガソリンなどの燃料を燃焼して駆動する内燃機関を具備する自動車の代替として、電気により駆動するモータを具備する電気自動車やこれらを併用したハイブリッド自動車が開発されている。
【０００３】
上記電気自動車においては、普及を促進するために、家庭用電源（一般家庭にて広く利用される電源）から充電可能に設計されている。ただし、充電などの取扱時における安全性（例えば、導電性材料との接触の回避、充電時の引き抜き不可など）の観点から、電源ケーブルにおける電気自動車側の専用のコネクタとして、電気自動車充電用コネクタ（例えば、特許文献１参照）などが開発されている。
【０００４】
住宅などでは建物に隣接して駐車場が設けられている。このような駐車場に駐車した状態にて電気自動車に搭載されるバッテリへ充電する場合には、家庭用電源のコンセントと電気自動車に設けられた車両側コネクタとを接続するために延長コード（電源コード）を用いて連結することが検討されている。
【０００５】
【特許文献１】特許第２９１０５０４号明細書
【発明の開示】
【発明が解決しようとする課題】
【０００６】
上述した、専用のコネクタを持つ電源ケーブルを用いることで電気自動車に搭載のバッテリへ充電することができるものの、利便性の観点から、家庭用電源の取出口は建物の外側に配置され、さらにこの家庭用電源の取出口に延長ケーブルを接続した状態としておく可能性があり、当該建物の住人と無関係な第三者でも容易に前記延長ケーブルを利用して電気を使用することができてしまう。
【０００７】
また、建物の外側に配置された家庭用電源の取出口を覆うカバーを設けると共に、このカバーに鍵をすることで、第三者による電気の使用を防ぐことができるものの、利便性を損なってしまう。
【０００８】
そこで、本発明は、前述した問題に鑑み提案されたもので、利便性の低下を抑制し、第三者による電気の使用を防ぐことができる電気自動車充電用延長ケーブル安全装置を提供することを目的とする。
【課題を解決するための手段】
【０００９】
上述した課題を解決する第１の発明に係る電気自動車充電用延長ケーブル安全装置は、一方の端部が電源に連結して固定され、他方の端部が電気自動車の充電用の車両側コネクタに接続可能な接続端子が設けられた電源ケーブルと、前記電源ケーブルを格納するケーブル格納機構とを具備し、前記ケーブル格納機構が、前記電源ケーブルを格納可能な回転体と、前記回転体の回転を固定する固定手段と、識別番号が入力される識別番号入力手段と、入力された識別番号と予め登録されている識別番号とを照合する照合手段とを有し、前記固定手段が、前記照合手段にて両方の識別番号が一致した場合に、前記回転体の固定を解除することを特徴とする。
【００１０】
上述した課題を解決する第２の発明に係る電気自動車充電用延長ケーブル安全装置は、第１の発明に係る電気自動車充電用延長ケーブル安全装置であって、前記ケーブル格納機構が、前記電源ケーブルを流れる電気の電圧を検出する電圧検出手段を有し、前記固定手段が、前記電圧検出手段にて所定の電圧を検出した場合に、前記回転体の回転を固定することを特徴とする。
【００１１】
上述した課題を解決する第３の発明に係る電気自動車充電用延長ケーブル安全装置は、第１の発明または第２の発明に係る電気自動車充電用延長ケーブル安全装置であって、前記ケーブル格納機構が、前記電源ケーブルの接続端子の格納を検出する接続端子格納検出手段をさらに有し、前記固定手段が、前記接続端子格納検出手段にて前記電源ケーブルの接続端子の格納を検出した場合に、前記回転体の回転を固定することを特徴とする。
【００１２】
上述した課題を解決する第４の発明に係る電気自動車充電用延長ケーブル安全装置は、第１の発明乃至第３の発明の何れか一に係る電気自動車充電用延長ケーブル安全装置であって、前記識別番号入力手段が、電気自動車の鍵に内蔵された送信器から送信される信号により識別番号が入力されることを特徴とする。
【発明の効果】
【００１３】
本発明に係る電気自動車充電用延長ケーブル安全装置によれば、一方の端部が電源に連結して固定され、他方の端部が電気自動車の充電用の車両側コネクタに接続可能な接続端子が設けられた電源ケーブルと、前記電源ケーブルを格納するケーブル格納機構とを具備し、前記ケーブル格納機構は、前記電源ケーブルを格納可能な回転体と、前記回転体の回転を固定する固定手段と、識別番号が入力される識別番号入力手段と、入力された識別番号と予め登録されている識別番号とを照合する照合手段とを有し、前記固定手段が、前記照合手段にて両方の識別番号が一致した場合に、前記回転体の固定を解除することにより、固定手段が、識別番号の照合結果が異なる場合には、回転体を固定した状態となり、電源ケーブルの引き出しが不可能となるため、第三者による電気自動車充電用延長ケーブルの無断使用を防ぐことができる。また、固定手段は、識別番号の照合が一致する場合には、回転体の固定を解除するので、電源ケーブルの引き出し、格納を容易に行うことができ、取扱性を向上させることができる。
【００１４】
本発明に係る電気自動車充電用延長ケーブル安全装置によれば、前記ケーブル格納機構が、前記電源ケーブルを流れる電気の電圧を検出する電圧検出手段を有し、前記固定手段が、前記電圧検出手段にて所定の電圧を検出した場合に、前記回転体の回転を固定することにより、電源ケーブルを電気自動車の車両側コネクタに接続して当該電気自動車に搭載されたバッテリへ充電している時に、回転体の固定の解除による電源ケーブルの格納を防ぐことができ、電源ケーブルの取扱性および安全性を向上させることができる。
【００１５】
本発明に係る電気自動車充電用延長ケーブル安全装置によれば、前記ケーブル格納機構が、前記電源ケーブルの接続端子の格納を検出する接続端子格納検出手段をさらに有し、前記固定手段が、前記接続端子格納検出手段にて前記電源ケーブルの接続端子の格納を検出した場合に、前記回転体の回転を固定することにより、電源ケーブルの接続端子を所定の位置に格納するだけで、回転体が自動にて固定され、電源ケーブルの引き出しが不可能となるため、第三者による電気自動車充電用延長ケーブルの使用をより確実に防ぐことができ、取扱性をさらに向上させることができる。
【００１６】
本発明に係る電気自動車充電用延長ケーブル安全装置によれば、前記識別番号入力手段が、電気自動車の鍵に内蔵された送信器から送信される信号により識別番号が入力されることにより、操作が簡易であり、取扱性をさらに向上させることができる。また、ケーブル格納機構に識別番号入力手段を設けることで車両に接続される端子部分を簡素化することができる。
【発明を実施するための最良の形態】
【００１７】
以下に、本発明に係る電気自動車充電用延長ケーブル安全装置を実施するための最良の形態について図面を参照して具体的に説明する。
図１は、本発明の最良の実施形態に係る電気自動車充電用延長ケーブル安全装置を説明するための図であり、図２は、それが具備するロック機構を模式的に示す図であり、図３は、それが具備するケーブル格納機構における処理フローを示す図である。
【００１８】
本発明の最良の実施形態に係る電気自動車充電用延長ケーブル安全装置は、図１に示すように、一方の端部１ａが住宅などの建物の外壁２に設けられた電源２ａに連結して固定され、他方の端部が電気自動車３に搭載されるバッテリへの充電機器の車両側コネクタ（図示せず）に接続可能な接続端子１ｂが設けられた電源ケーブル１と、電源ケーブル１を巻き取って格納するケーブル格納機構１０とを具備する。
【００１９】
ケーブル格納機構１０は、図１および図２に示すように、電源ケーブル１を巻取って格納可能な回転体（ドラム）１１と、回転体１１の回転を固定する固定手段であるロック機構１２とを有する。このケーブル格納機構１０は、識別番号１４が入力される識別番号入力器（識別番号入力手段）１３と、識別番号が予め入力されて登録され、この登録された識別番号１６を記憶する記憶手段であるメモリ１５と、入力された識別番号１４と登録された識別番号１６とを照合する識別番号照合器（照合手段）１７とを有する。ロック機構１２は、照合器１７にて両方の識別番号１４，１６が一致した場合に、回転体１１の固定を解除する。このロック機構１２は、図中矢印で示すように軸方向にのみ移動可能であり、一端に凹凸状の係止部１８ａが設けられた軸体１８を回転体１１の一端に設けられた凹凸状の被係止部１１ａに係止させることで、回転体１１の回転を固定する。
【００２０】
なお、上述した識別番号１４は、図１に示すように、電気自動車３の鍵３０に内蔵され、電波を使った非接触自動認識技術（ＲＦＩＤ：Ｒａｄｉｏ  Ｆｒｅｑｕｅｎｃｙ  Ｉｄｅｎｔｉｆｉｃａｔｉｏｎ）を適用した識別番号送信器３１から送信したり、ケーブル格納機構１０に数字の入力ボタンなどを設けて直接入力したり、電気自動車３の鍵３０の操作を入力としたりしても良い。
【００２１】
ケーブル格納機構１０は、電源ケーブル１を流れる電気の電圧を検出する電圧検出器（電圧検出手段）１９と、電源ケーブル１の接続端子１ｂの格納を検出する接続端子格納検出器（接続端子格納検出手段）２０をさらに有する。
【００２２】
上述したケーブル格納機構１０では、回転体１１が固定されており、所定の条件を満たす場合に、回転体１１が回転可能となり、回転体１１に巻き付けられて格納された電源ケーブル１を引き出す（巻き出す）ことができる。このケーブル格納機構１０は、具体的には、図３に示すフローにて動作する。
【００２３】
この図３に示すように、最初に、ステップＳ１にて、リモコンキー３０や入力器具からの識別番号１４の入力の有無を判定する。識別番号入力器１３に識別番号１４が入力された場合には、ステップＳ２に進み、識別番号１４の入力が無い場合には、ステップＳ３に進む。
【００２４】
続いて、ステップＳ２にて、入力された識別番号１４とメモリ１５に予め登録された識別番号１６とが照合される。両方の識別番号１４，１６が一致する場合には、ステップＳ４に進み、両方の識別番号１４，１６が一致しない場合には、ステップＳ１に戻る。
【００２５】
ステップＳ３にて、鍵３０の操作の有無が判定される。鍵３０の操作がある場合には、ステップＳ４に進み、鍵３０の操作が無い場合には、ステップＳ１に戻る。
【００２６】
ステップＳ４にて、ロック機構１２は、軸体１８を軸方向に移動して、係合部１８ａと被係合部１１ａとの係合を解除し、電源ケーブル１の引き出し（巻き出し）が可能となる。電源ケーブル１が引き出されて、電源ケーブル１の一方の端部１ｂが電気自動車の車両側コネクタ（図示せず）に接続される。
【００２７】
続いて、ステップＳ５に進み、電気自動車３に搭載されるバッテリ（図示せず）への充電開始の有無が判定される。電圧検出器１９にて電圧を検出して充電が開始された場合には、ステップＳ６に進み、電圧検出器１９にて電圧を検出せず充電が開始されない場合にはステップＳ７に進む。
【００２８】
ステップＳ６にて、ロック機構１２は、軸体１８を軸方向に移動し、係合部１８ａと被係合部１１ａとが係合して回転体１１を固定し、電源ケーブル１の格納（巻き取り）が不可能となり、ステップＳ９に進む。これにより、充電中における電源ケーブル１の抜けを防止することができる。
【００２９】
ステップＳ７にて、電源ケーブル１の固定が解除されてからの所定時間の経過の有無が判定される。所定時間経過しない場合には、ステップＳ４に戻り、所定時間経過した場合には、ステップＳ８に進む。
【００３０】
ステップＳ８にて、ロック機構１２は、軸体１８を軸方向に移動し、係合部１８ａと被係合部１１ａとが係合して回転体１１を固定し、電源ケーブル１の引き出しが不可能となり、ステップＳ１に戻る。
【００３１】
ステップＳ９にて、バッテリへの充電完了の有無が判定される。電圧検出器１９にて電圧を検出せず充電が完了した場合には、ステップＳ１０に進む。電圧検出器１９にて電圧を検出して充電が完了しない場合には、ステップＳ６に戻る。
【００３２】
ステップＳ１０にて、ロック機構１２は、軸体１８を軸方向に移動して、係合部１８ａと被係合部１１ａとの係合を解除し、電源ケーブル１の引き出し（巻き出し）が可能となり、ステップＳ１１に進む。
【００３３】
ステップＳ１１にて、電源ケーブル１の格納の有無が判定される。ロック機構１２は、接続端子格納検出器２０が電源ケーブル１の格納を検出した場合には、ステップＳ１２に進み、接続端子格納検出器２０が電源ケーブル１の格納を検出しない場合、すなわち、電源ケーブル１の格納が完了しない場合には、ステップＳ１０に戻る。
【００３４】
ステップＳ１２にて、ロック機構１２は、軸体１８を軸方向に移動し、係合部１８ａと被係合部１１ａとが係合して回転体１１を固定し、電源ケーブル１の引き出しが不可能となり、終了となる。
【００３５】
したがって、本発明の最良の実施形態に係る電気自動車充電用延長ケーブル安全装置によれば、ロック機構１２は、識別番号１４，１６の照合結果が異なる場合には、キー操作の場合を除き、回転体１１を固定した状態となり、電源コード１の引き出しが不可能となるため、第三者による電気自動車充電用延長ケーブルの無断使用を防ぐことができる。また、ロック機構１２は、識別番号１４，１６の照合結果が一致する場合には、回転体１１の固定を解除するので、電源ケーブル１の引き出し、格納を容易に行うことができ、取扱性を向上させることができる。
【００３６】
ケーブル格納機構１０が、電圧検出器１９を有し、ロック機構１２が、電圧検出器１９にて所定の電圧を検出した場合に、回転体１１の回転を固定することにより、電源ケーブル１を電気自動車の車両側コネクタに接続して当該電気自動車３に搭載されたバッテリへ充電している時に、回転体１１の固定の解除による電源ケーブル１の格納を防ぐことができ、電源ケーブル１の取扱性および安全性を向上させることができる。
【００３７】
ケーブル格納機構１０は、電源ケーブル１の接続端子の格納を検出する接続端子格納検出器２０をさらに有し、ロック機構１２が、接続端子格納検出器２０にて電源ケーブル１の接続端子の格納を検出した場合に、回転体１１の回転を固定することにより、電源ケーブルの接続端子を所定の位置に格納するだけで、回転体１１が自動にて固定され、電源ケーブル１の引き出しが不可能となるため、第三者による電気自動車充電用延長ケーブルの使用をより確実に防ぐことができ、取扱性を向上させることができる。
【００３８】
識別番号入力器１３が、電気自動車３の鍵３０に内蔵された識別番号送信器３１から送信される信号１４により識別番号が入力されることにより、操作が簡易であり、取扱性をさらに向上させることができる。また、ケーブル格納機構１０に識別番号入力器１３を設けることで車両３に接続される端子部分を簡素化することができる。
【００３９】
なお、上記では、電源ケーブル１の一端が建物の外壁２に設けられた電源２ａに固定された電気自動車充電用延長ケーブル安全装置を用いて説明したが、電源ケーブル１の一端が、ガソリンスタンドなどの立設物に設けられた電源に固定された電気自動車充電用延長ケーブル安全装置としても良く、このような電気自動車充電用延長ケーブルであっても、上述した本発明の最良の実施形態に係る電気自動車充電用延長ケーブル安全装置と同様な作用効果を奏する。
【図面の簡単な説明】
【００４０】
【図１】本発明の最良の実施形態に係る電気自動車充電用延長ケーブル安全装置を説明するための図である。
【図２】本発明の最良の実施形態に係る電気自動車充電用延長ケーブル安全装置が具備するロック機構を模式的に示す図である。
【図３】本発明の最良の実施形態に係る電気自動車充電用延長ケーブル安全装置が具備するケーブル格納機構における処理フローを示す図である。
【符号の説明】
【００４１】
１      電源ケーブル
２      建物の外壁
１０    ケーブル格納機構
１１    回転体
１２    ロック機構
１３    識別番号入力器
１４    入力された識別番号
１５    メモリ
１６    登録された識別番号
１７    識別番号照合器
１８    軸体
１９    電圧検出器
２０    接続端子格納検出器
３０    鍵
３１    識別番号送信器
【図１】
2008251355.tif 000003
【図２】
2008251355.tif 000004
【図３】
2008251355.tif 000005